(57)【要約】【課題】    住宅の間仕切りや家具の扉などに用いることができる、指詰めによる怪我を防止できる意匠性の良い折り戸を提供する。【解決手段】  複数枚の折り戸パネル１、２を蝶番３により折り畳み自在に連結して形成した折り戸において、該折り戸を閉じた状態において、相隣る折り戸パネル１、２の側端面間の水平距離が１３ｍｍ以上となるように折り戸パネル１、２同士を連結するとともに、双方の折り戸パネル１、２の側端面に、左右２つの中空状変形体５の後部を軟質樹脂結合部７によって折り曲げ自在に結合して形成した目隠し材４の上記左右の中空状変形体５を、夫々固定したもの。【選択図】  図１
2008308892.tif 000002
【特許請求の範囲】
【請求項１】
複数枚の折り戸パネルをヒンジにより折り畳み自在に連結して形成した折り戸において、該折り戸を閉じた状態において、相隣る折り戸パネルの側端面間の水平距離が１３ｍｍ以上となるように折り戸パネル同士を連結するとともに、双方の折り戸パネルの側端面に、左右２つの中空状変形体の後部を軟質樹脂結合部によって折り曲げ自在に結合して形成した目隠し材の上記左右の中空状変形体を、夫々固定してなることを特徴とする折り戸。      
【発明の詳細な説明】
【技術分野】
【０００１】
本発明は、住宅の開口部の扉や間仕切り用の扉として、或いは収納装置等の扉として用いることができる折り戸に関する。
【背景技術】
【０００２】
従来の折り戸は、特許文献１にその一例が示されるように、相隣る扉の端面に凹部を設け、この凹部に弾性体を取り付けることにより、扉の連結部の間に手指が挟まったとしても、取り付けた弾性体のクッション作用によって怪我をするのを未然に防ぐようにしたものが知られている。
【０００３】
しかしながら、このような折り戸においては、手指が普通に連結部の間に挟まった場合は前記怪我の未然防止効果を発現できると思われるが、手指が万一奥（後側）まで入りこんで挟まったときは、怪我を十分に防止することができなかった。
【０００４】
特に、扉同士を丁番で折り畳み自在に連結するような場合には、扉同士の後側（丁番側）に狭い隙間が設けられることもあり、このような場合には、この隙間に手指やその一部が万一挟まって怪我をすることがあるという問題を有していた。
【特許文献１】実開平４−１１６５８７号
【発明の開示】
【発明が解決しようとする課題】
【０００５】
本発明は、かかる問題点に鑑みなされたもので、扉の連結部に万一手指が深く入った場合においても、指詰めによる怪我を未然に防止できる折り戸を提供することを目的とする。
【課題を解決するための手段】
【０００６】
上記目的を達成するために、本発明の折り戸は、複数枚の折り戸パネルをヒンジにより折り畳み自在に連結して形成した折り戸において、該折り戸を閉じた状態において、相隣る折り戸パネルの側端面間の水平距離が１３ｍｍ以上となるように折り戸パネル同士を連結するとともに、双方の折り戸パネルの側端面に、左右２つの中空状変形体の後部を軟質樹脂結合部によって折り曲げ自在に結合して形成した目隠し材の上記左右の中空状変形体を、夫々固定してなることを特徴とする。
【発明の効果】
【０００７】
本発明の折り戸は、閉じた状態において、相隣る折り戸パネルの側端面間の水平距離が１３ｍｍ以上となるように広くとり、また、双方の折り戸パネルの側端面に、軟質樹脂結合部によって折り曲げ自在に結合された左右２つの中空変形体からなる目隠し材を固定しているので、折り戸を開いた状態から閉じた状態に操作する途中で、万一折り戸パネルの連結部に手指が挟まった場合でも、折り戸パネルの側端面間の水平距離が広く、且つ挟まった手指を包み込むように左右の柔軟な中空変形体が変形するので、上記挟まった手指が強く圧迫されることがなく、従って、指詰めによる怪我を防止することが出来る。
【０００８】
また、目隠し材は、左右の中空変形体同士が軟質樹脂結合部によって折り曲げ自在に結合した構成を有しているので、特に、扉同士の後側（丁番側）を丁番で連結し、この連結部の後側（丁番側）に数ｍｍ程度の狭い隙間を設けているような場合であっても、連結部内に手指が深く入り込み、この狭い隙間内に手指やその一部が挟まれるのを目隠し材の軟質樹脂結合部によって防止することができ、このような場合における手指の指詰めによる怪我も防止することができる。
【０００９】
また、相隣る折り戸パネルの連結部間を覆うように上記目隠し材が固定されるので、隙間やヒンジが外部から見えることがなく、折り戸の外観を良くすることができる。
【発明を実施するための最良の形態】
【００１０】
以下、本発明を実施するための実施形態を図面に基づき説明する。尚、本発明は本実施形態の記載内容に限られるものではない。
【００１１】
図１は、本実施形態に係る折り戸Ａの、折り戸Ａを閉じた状態における水平方向部分断面図である。折り戸Ａは、折り戸パネル１と２の後側をヒンジである蝶番３により折り畳み自在に連結され、そして、この折り戸パネル１と２の側端面の間の水平距離ｗは、１３ｍｍ以上、本実施形態では、２０ｍｍとなるように設定されており、更に、双方の折り戸パネル１、２の側端面には、指詰め防止効果のある目隠し材４が固定されて構成されている。
【００１２】
ここにおいて、上記水平距離ｗは１３ｍｍ未満となると、手指を挟んだ状態で折り戸を閉じた場合、手指が強く圧迫されて怪我をする可能性があるので１３ｍｍ以上とする必要がある。また、上記水平距離ｗは３０ｍｍを超えると、折り戸Ａにおける折り戸パネル１、２の連結部の外観を損なうことがあるので好ましくない。怪我の防止と装飾性の良い外観の観点から、上記水平距離ｗは、１５ｍｍ〜２５ｍｍの範囲にあることが最も好ましい。
【００１３】
また、折り戸パネル１、２としては種々のものを用いることができる。例えば、基板と化粧材とで形成され、基板に、合板、ＬＶＬ、パーティクルボード、ＭＤＦ、集成材、木材或いはそれらの複合物等の木質材料や、火山性ガラス質複層板、珪酸カルシウム板等の無機質板、或いは金属板等を用い、その表面を覆う化粧材に、突板、合成樹脂化粧シート、化粧紙、塗料膜、Ｖカット化粧板（薄い合板等の基材表面に化粧シートを貼着し、裏面側にＶ溝などの折り曲げ溝を設けた化粧板）を用いたもの等を挙げることができる。
【００１４】
また、蝶番３は、折り戸パネル１，２の後側の側縁部を欠き込んで埋設する埋設タイプのものを用いると折り戸Ａの外観を良くすることができるが、折り戸パネル１，２の後側の側縁面に跨るように直接固定する露出タイプのものを用いることもでき、また蝶番ではなく、折り戸パネル１、２を折り畳み自在に連結することができるものであればヒンジとして用いることができる。
【００１５】
目隠し材４は、図２に示すように、左右の中空変形体５、５’がその後部において軟質樹脂結合部７によって折り畳み自在に結合された構成を有している。
【００１６】
ここにおいて左右の中空変形体５、５’は、傾斜面の前面部６ａと側面部６ｂと後面部６ｃとで形成される軟質樹脂製変形部６と、折り戸パネル１、２の側端面に当接する硬質樹脂製支持部９と、該硬質樹脂製支持部９の央部から略垂直に突接し、折り戸パネル１、２の側端部内に夫々固定される硬質樹脂製取り付け部８、８とで構成されている。
【００１７】
軟質樹脂結合部７は、上記左右の中空変形体５、５’を折り畳み自在に結合できる柔軟度の樹脂や形状を有しているものを使用でき、形状としてはシート状、帯板状、断面円盤状など種々のものを用いることができる。
【００１８】
目隠し材４は、このように、左右２つの中空変形体５、５’が、軟質樹脂結合部７によって結合されているので、折り畳み自在であるとともに、左右の中空変形体５、５’の夫々の軟質樹脂製変形部６は、外圧に適応して任意形状に容易に変形するように形成されている。尚、このような目隠し材４は、硬質樹脂と軟質樹脂を組み合わせて形成されているため、押し出し成形等により容易に製造することができるので、好適に用いることができる。
【００１９】
また、傾斜面の前面部６ａと側面部６ｂと後面部６ｃとで形成される軟質樹脂製変形部６や軟質樹脂結合部７は、折り戸Ａの開閉時に外部に露出して目視できる部分であるので、樹脂着色、コーティング、転写印刷その他の方法で装飾し、連結部の外観を向上させておくことができる。
【００２０】
次に、図３乃至図５に基づいて本実施形態に係る折り戸Ａの指詰め防止効果を説明する。図３は折り戸パネル１を１８０°折り曲げて、折り戸Ａを開にした状態を示す説明図、図４は、折り戸Ａを開から閉に操作する時に手指が挟まる状態を示す説明図、図５は、折り戸Ａを閉にした時に手指が挟まった状態を示す説明図である。
【００２１】
図３に示すように、折り戸Ａを操作して折り戸パネル１、２を完全に折り畳むことにより、折り戸Ａを開いた状態にすることができる。この時、目隠し材４の軟質樹脂製変形部６と軟質樹脂結合部７は、外に露出した状態になる。そして軟質樹脂結合部７によって、蝶番３や折り畳まれた折り戸パネル１、２の間の隙間１０が外部から見えて外観を損なうことがない。
【００２２】
次に折り戸Ａを閉じる方向に操作して、図４に示すように途中まで閉じた状態にする。この時に、図４に示すように、目隠し材４の軟質樹脂製変形部６に囲われた連結部内に手指が入り込むことがある。
【００２３】
次に連結部内に手指が入り込んだ状態で、図５に示すように折り戸Ａを完全に閉じると、目隠し材４の軟質樹脂製変形部６の間に手指が挟まれる。この時、折り戸パネル１と２の側端面の間の水平距離ｗを、本実施形態では、一般人の指巾よりも大きな寸法の２０ｍｍとするとともに、手指に接する目隠し材４の中空変形体５の軟質樹脂製変形部６が手指の形状に沿って柔軟に変形するので、挟まれた手指が強く圧迫されて怪我をするということがない。
【００２４】
図６は、別の実施形態に係る折り戸Ｂにおいて手指が連結部内に入り込んだ状態を示す説明図である。この折り戸Ｂは、折り戸パネル１’、２’の連結部の後側（蝶番３側）の隙間が数ｍｍ以上の大きめの隙間１０’である場合で、この大きめの隙間１０’を、目隠し材４の軟質樹脂結合部７が覆うように構成されている。その他の構成は、折り戸Ａと同じである。
【００２５】
このため、折り戸Ｂにおいては、連結部内に深く入り込んだ手指或いはその一部が上記隙間１０’に入り込もうとしても、この隙間１０’を覆うように目隠し材４の軟質樹脂結合部７が取り付けられているため、その入り込みを確実に防止することができる。従って、折り戸Ｂを完全に閉じる状態にしても、隙間１０’内に手指やその一部が挟まれることはなく、前記折り戸Ａの場合と同様に、目隠し材４の軟質樹脂製変形部６の間に手指が挟まれるが、折り戸パネル１’と２’の側端面の間の水平距離ｗを、一般人の指巾より大きめの２０ｍｍとするとともに、手指に接する目隠し材４の中空変形体５の軟質樹脂製変形部６が手指の形状に沿って柔軟に変形するので、挟まれた手指が強く圧迫されて怪我をするということがない。
【図面の簡単な説明】
【００２６】
【図１】本発明の実施形態である折り戸Ａの、折り戸Ａを閉じた状態における部分断面図。
【図２】本発明の実施形態である折り戸Ａに用いる目隠し材。
【図３】本発明の実施形態である折り戸Ａを開にした状態を示す説明図。
【図４】本発明の実施形態である折り戸Ａに手指が挟まる状態を示す説明図。
【図５】本発明の実施形態である折り戸Ａに手指が挟まった状態を示す説明図。
【図６】本発明の別の実施形態である折り戸Ｂに手指が挟まる状態を示す説明図。
【符号の説明】
【００２７】
Ａ、Ｂ                        折り戸
１、２、１’、２’            折り戸パネル
３                            蝶番
４                            目隠し材
５、５’                      中空状変形体
６                            軟質樹脂製変形部
６ａ                          前面部
６ｂ                          側面部
６ｃ                          後面部
７                            軟質樹脂結合部
８                            硬質樹脂製取り付け部
９                            硬質樹脂製支持部
１０、１０’                  隙間
ｗ                            水平距離
【図１】
2008308892.tif 000003
【図２】
2008308892.tif 000004
【図３】
2008308892.tif 000005
【図４】
2008308892.tif 000006
【図５】
2008308892.tif 000007
【図６】
2008308892.tif 000008